(57)【特許請求の範囲】
【請求項１】
電話回線と接続するためのネットワークポートと、前記電話回線を介して外部と通信する通信手段と、を備えるネットワーク通信装置であって、
ユーザ操作なくオートシャットダウン移行時間が経過したときに前記ネットワーク通信装置への電力供給を停止するシャットダウン処理を実行するオートシャットダウン手段と、
前記ネットワークポートに前記電話回線が接続されているか否かを検知する回線検知手段と、
ユーザ操作に基づき、前記オートシャットダウン手段に前記シャットダウン処理を実行させるかどうかを選択する選択手段と、
前記選択手段により前記オートシャットダウン手段に前記シャットダウン処理を実行させることが選択され、且つ、前記回線検知手段により前記ネットワークポートに前記電話回線が接続されていると検知された場合、前記オートシャットダウン移行時間の経過を待たずに、前記オートシャットダウン手段による前記シャットダウン処理に関する警告をユーザに通知する通知手段と、を備えることを特徴とするネットワーク通信装置。
【請求項２】
前記選択手段により前記オートシャットダウン手段に前記シャットダウン処理を実行させることが選択されたときに、前記回線検知手段は前記ネットワークポートに前記電話回線が接続されているか否かを検知することを特徴とする請求項１に記載のネットワーク通信装置。
【請求項３】
前記オートシャットダウン移行時間がユーザ操作なしで経過したときに、前記回線検知手段は前記ネットワークポートに前記電話回線が接続されているか否かを検知し、前記回線検知手段が前記ネットワークポートに前記電話回線が接続されていないと検知した場合、前記オートシャットダウン手段が前記シャットダウン処理を実行することを特徴とする請求項１又は２記載のネットワーク通信装置。
【請求項４】
電話回線と接続するためのネットワークポートと、前記電話回線を介して外部と通信する通信手段と、を備えるネットワーク通信装置であって、
ユーザ操作なくオートシャットダウン移行時間が経過したときに前記ネットワーク通信装置への電力供給を停止するシャットダウン処理を実行するオートシャットダウン手段と、
前記ネットワークポートに前記電話回線が接続されているか否かを検知する回線検知手段と、
ユーザ操作に基づき、前記オートシャットダウン手段に前記シャットダウン処理を実行させるかどうかを選択する選択手段と、
前記選択手段により前記オートシャットダウン手段に前記シャットダウン処理を実行させることが選択されている場合、前記回線検知手段が前記ネットワークポートに前記電話回線が接続されていない状態から接続されている状態に変化したことを検知したとき、前記オートシャットダウン移行時間の経過を待たずに、前記オートシャットダウン手段による前記シャットダウン処理に関する警告をユーザに通知する通知手段と、を備えることを特徴とするネットワーク通信装置。
【請求項５】
前記通知手段は、前記オートシャットダウン手段を実行できない理由が前記ネットワークポートに前記電話回線が接続されているためであることを通知することを特徴とする請求項１乃至４のいずれか１項に記載のネットワーク通信装置。
【請求項６】
電話回線と接続するためのネットワークポートと、前記電話回線を介して外部と通信する通信手段と、を備えるネットワーク通信装置であって、
第１のユーザ操作なくオートシャットダウン移行時間が経過したときに前記ネットワーク通信装置への電力供給を停止するシャットダウン処理を実行するオートシャットダウン手段と、
前記ネットワークポートに前記電話回線が接続されているか否かを検知する回線検知手段と、
第２のユーザ操作に基づき、前記オートシャットダウン手段に前記シャットダウン処理を実行させるかどうかを選択する選択手段と、を備え、
前記回線検知手段が前記ネットワークポートに前記電話回線が接続されていない状態から接続されている状態に変化したことを検知したとき、前記選択手段により前記オートシャットダウン手段に前記シャットダウン処理を実行させることが選択されている場合、前記オートシャットダウン手段を無効にし、且つ前記第２のユーザ操作を不可とすることを特徴とするネットワーク通信装置。
【請求項７】
前記回線検知手段が前記ネットワークポートに前記電話回線が接続されていない状態から接続されている状態に変化したことを検知したとき、前記選択手段により前記オートシャットダウン手段に前記シャットダウン処理を実行させることが選択されている場合、前記ネットワークポートに前記電話回線が接続されているため前記シャットダウン処理を実行できない旨をユーザに通知する通知手段をさらに備えることを特徴とする請求項６に記載のネットワーク通信装置。
【請求項８】
画面を表示する表示手段をさらに有し、
前記通知手段による通知は前記表示手段の画面において表示されることを特徴とする請求項１乃至５，及び７のいずれか１項に記載のネットワーク通信装置。
【請求項９】
電話回線と接続するためのネットワークポートと、前記電話回線を介して外部と通信する通信手段と、を備えるネットワーク通信装置であって、
ユーザ操作なくオートシャットダウン移行時間が経過したときに前記ネットワーク通信装置への電力供給を停止するシャットダウン処理を実行するオートシャットダウン手段と、
前記ネットワークポートに前記電話回線が接続されているか否かを検知する回線検知手段と、
ユーザ操作に基づき、前記オートシャットダウン手段に前記シャットダウン処理を実行させるかどうかを選択する選択手段と、
前記回線検知手段が前記ネットワークポートに前記電話回線が接続されていない状態から接続されている状態に変化したことを検知したとき、前記オートシャットダウン手段による前記シャットダウン処理を実行するか否かをユーザに選択させる選択画面を表示する表示手段と、を備えることを特徴とするネットワーク通信装置。
【請求項１０】
前記選択画面において、前記シャットダウン処理を実行しない旨が前記ユーザに選択されたとき、前記選択手段により前記オートシャットダウン手段に前記シャットダウン処理を実行させることが選択されている場合、前記オートシャットダウン手段を無効することを特徴とする請求項９に記載のネットワーク通信装置。
【請求項１１】
前記オートシャットダウン移行時間がユーザ操作なしで経過したときに、前記回線検知手段が前記ネットワークポートに前記電話回線が接続されていると検知した場合、前記選択画面において前記シャットダウン処理を実行する旨が前記ユーザに選択されているときは、前記シャットダウン処理を実行することを特徴とする請求項９又は１０記載のネットワーク通信装置。
【請求項１２】
画像処理装置であることを特徴とする請求項１乃至１１のいずれか１項に記載のネットワーク通信装置。
【請求項１３】
前記ネットワークポートは、前記電話回線を用いて画像データを送受信することを特徴とする請求項１２記載のネットワーク通信装置。
【請求項１４】
前記受信された画像データを印刷する印刷手段、原稿を読み込み、前記送信すべき画像データを生成する生成手段をさらに有することを特徴とする請求項１３記載のネットワーク通信装置。
【請求項１５】
電話回線と接続するためのネットワークポートと、前記電話回線を介して外部と通信する通信手段と、を備えるネットワーク通信装置の制御方法であって、
ユーザ操作なくオートシャットダウン移行時間が経過したときに前記ネットワーク通信装置への電力供給を停止するシャットダウン処理を実行するオートシャットダウンステップと、
前記ネットワークポートに前記電話回線が接続されているか否かを検知する回線検知ステップと、
ユーザ操作に基づき、前記オートシャットダウンステップにおける前記シャットダウン処理を実行させるかどうかを選択する選択ステップと、
前記選択ステップで前記オートシャットダウンステップにおける前記シャットダウン処理を実行させることが選択され、且つ、前記回線検知ステップで前記ネットワークポートに前記電話回線が接続されていると検知された場合、前記オートシャットダウン移行時間の経過を待たずに、前記オートシャットダウンステップにおける前記シャットダウン処理に関する警告をユーザに通知する通知ステップと、を有することを特徴とする制御方法。
【請求項１６】
電話回線と接続するためのネットワークポートと、前記電話回線を介して外部と通信する通信手段と、を備えるネットワーク通信装置の制御方法であって、
ユーザ操作なくオートシャットダウン移行時間が経過したときに前記ネットワーク通信装置への電力供給を停止するシャットダウン処理を実行するオートシャットダウンステップと、
前記ネットワークポートに前記電話回線が接続されているか否かを検知する回線検知ステップと、
ユーザ操作に基づき、前記オートシャットダウンステップにおける前記シャットダウン処理を実行させるかどうかを選択する選択ステップと、
前記選択ステップにより前記オートシャットダウンステップにおける前記シャットダウン処理を実行させることが選択されている場合、前記回線検知ステップで前記ネットワークポートに前記電話回線が接続されていない状態から接続されている状態に変化したことが検知されたとき、前記オートシャットダウン移行時間の経過を待たずに、前記オートシャットダウンステップで実行される前記シャットダウン処理に関する警告をユーザに通知する通知ステップと、を有することを特徴とする制御方法。
【請求項１７】
電話回線と接続するためのネットワークポートと、前記電話回線を介して外部と通信する通信手段と、を備えるネットワーク通信装置の制御方法であって、
第１のユーザ操作なくオートシャットダウン移行時間が経過したときに前記ネットワーク通信装置への電力供給を停止するシャットダウン処理を実行するオートシャットダウンステップと、
前記ネットワークポートに前記電話回線が接続されているか否かを検知する回線検知ステップと、
第２のユーザ操作に基づき、前記オートシャットダウンステップにおける前記シャットダウン処理を実行させるかどうかを選択する選択ステップと、を有し、
前記回線検知ステップで前記ネットワークポートに前記電話回線が接続されていない状態から接続されている状態に変化したことが検知されたとき、前記選択ステップで前記オートシャットダウンステップにおける前記シャットダウン処理を実行させることが選択されている場合、前記オートシャットダウンステップを無効にし、且つ前記第２のユーザ操作を不可とすることを特徴とする制御方法。
【請求項１８】
電話回線と接続するためのネットワークポートと、前記電話回線を介して外部と通信する通信手段と、を備えるネットワーク通信装置の制御方法であって、
ユーザ操作なくオートシャットダウン移行時間が経過したときに前記ネットワーク通信装置への電力供給を停止するシャットダウン処理を実行するオートシャットダウンステップと、
前記ネットワークポートに前記電話回線が接続されているか否かを検知する回線検知ステップと、
ユーザ操作に基づき、前記オートシャットダウンステップにおける前記シャットダウン処理を実行させるかどうかを選択する選択ステップと、
前記回線検知ステップで前記ネットワークポートに前記電話回線が接続されていない状態から接続されている状態に変化したことが検知されたとき、前記オートシャットダウンステップにおける前記シャットダウン処理を実行するか否かをユーザに選択させる選択画面を表示する表示ステップと、を有することを特徴とする制御方法。
【請求項１９】
電話回線と接続するためのネットワークポートと、前記電話回線を介して外部と通信する通信手段と、を備えたネットワーク通信装置の制御方法をコンピュータに実行させるプログラムであって、
前記制御方法は、
ユーザ操作なくオートシャットダウン移行時間が経過したときに前記ネットワーク通信装置への電力供給を停止するシャットダウン処理を実行するオートシャットダウンステップと、
前記ネットワークポートに前記電話回線が接続されているか否かを検知する回線検知ステップと、
ユーザ操作に基づき、前記オートシャットダウンステップにおける前記シャットダウン処理を実行させるかどうかを選択する選択ステップと、
前記選択ステップで前記オートシャットダウンステップにおける前記シャットダウン処理を実行させることが選択され、且つ、前記回線検知ステップで前記ネットワークポートに前記電話回線が接続されていると検知された場合、前記オートシャットダウン移行時間の経過を待たずに、前記オートシャットダウンステップにおける前記シャットダウン処理に関する警告をユーザに通知する通知ステップとを有することを特徴とするプログラム。
【請求項２０】
電話回線と接続するためのネットワークポートと、前記電話回線を介して外部と通信する通信手段と、を備えたネットワーク通信装置の制御方法をコンピュータに実行させるプログラムであって、
前記制御方法は、
ユーザ操作なくオートシャットダウン移行時間が経過したときに前記ネットワーク通信装置への電力供給を停止するシャットダウン処理を実行するオートシャットダウンステップと、
前記ネットワークポートに前記電話回線が接続されているか否かを検知する回線検知ステップと、
ユーザ操作に基づき、前記オートシャットダウンステップにおける前記シャットダウン処理を実行させるかどうかを選択する選択ステップと、
前記選択ステップにより前記オートシャットダウンステップにおける前記シャットダウン処理を実行させることが選択されている場合、前記回線検知ステップで前記ネットワークポートに前記電話回線が接続されていない状態から接続されている状態に変化したことが検知されたとき、前記オートシャットダウン移行時間の経過を待たずに、前記オートシャットダウンステップで実行される前記シャットダウン処理に関する警告を、ユーザに通知する通知ステップとを有することを特徴とするプログラム。 
【請求項２１】
電話回線と接続するためのネットワークポートと、前記電話回線を介して外部と通信する通信手段と、を備えたネットワーク通信装置の制御方法をコンピュータに実行させるプログラムであって、
前記制御方法は、
第１のユーザ操作なくオートシャットダウン移行時間が経過したときに前記ネットワーク通信装置への電力供給を停止するシャットダウン処理を実行するオートシャットダウンステップと、
前記ネットワークポートに前記電話回線が接続されているか否かを検知する回線検知ステップと、
第２のユーザ操作に基づき、前記オートシャットダウンステップにおける前記シャットダウン処理を実行させるかどうかを選択する選択ステップと、を有し、
前記回線検知ステップで前記ネットワークポートに前記電話回線が接続されていない状態から接続されている状態に変化したことが検知されたとき、前記選択ステップで前記オートシャットダウンステップにおける前記シャットダウン処理を実行させることが選択されている場合、前記オートシャットダウンステップを無効にし、且つ前記第２のユーザ操作を不可とすることを特徴とするプログラム。
【請求項２２】
電話回線と接続するためのネットワークポートと、前記電話回線を介して外部と通信する通信手段と、を備えたネットワーク通信装置の制御方法をコンピュータに実行させるプログラムであって、
前記制御方法は、
ユーザ操作なくオートシャットダウン移行時間が経過したときに前記ネットワーク通信装置への電力供給を停止するシャットダウン処理を実行するオートシャットダウンステップと、
前記ネットワークポートに前記電話回線が接続されているか否かを検知する回線検知ステップと、
ユーザ操作に基づき、前記オートシャットダウンステップにおける前記シャットダウン処理を実行させるかどうかを選択する選択ステップと、
前記回線検知ステップで前記ネットワークポートに前記電話回線が接続されていない状態から接続されている状態に変化したことが検知されたとき、前記オートシャットダウンステップにおける前記シャットダウン処理を実行するか否かをユーザに選択させる選択画面を表示する表示ステップと、を有することを特徴とするプログラム。
【請求項２３】
請求項１９乃至２２のいずれか１項に記載のプログラムがコンピュータより読み出し可能に記憶されていることを特徴とする記憶媒体。
【発明の詳細な説明】
【技術分野】
【０００１】
本発明は、オートシャットダウン機能を備えたネットワーク通信装置、その制御方法、プログラム及び記憶媒体に関する。
【背景技術】
【０００２】
従来より、画像処理装置ではオートシャットダウン移行時間が経過したときに自動で電源を落とす（オートシャットダウンを実行する）オートシャットダウン機能により電源のＯＮ／ＯＦＦ管理がなされている機器が存在している（例えば、特許文献１等参照）。
【０００３】
また、現在、世界的に省電力に対する関心が高まっている。省電力関連の法令も多数存在し、最近では、ＥｒＰ指令のＬｏｔ２６などが制定されている。Ｌｏｔ２６指令の要項の一つに、すべてのネットワークポートの動作が停止している場合は、意図する使用にそぐわない場合を除き、機器の意図される使用に適切でかつ可能な限り短期間の後に、自動的に消費電力を０．５Ｗ以下に落とすというものがある。
【０００４】
この条件は、以下の２つの処理を順に実行することで満たすことができる。具体的には、まず、機器の有する、無線ネットワーク、有線ネットワーク、電話回線等と接続する全てのポートが無効になっているかを判断する処理を実行する。この処理の結果、全てのポートが無効になっている場合、上記オートシャットダウン機能を用いてオートシャットダウン移行時間ユーザの操作がなければオートシャットダウンを実行する処理を実行する。
【０００５】
一方、ファックスを搭載している機器では、電話回線と接続するポートが有効である場合、ファックスはいつ受信するのかが決まっていない。従って、Ｌｏｔ２６の「機器の意図される使用に適切…短期間の後に」開始するという条件を満たすべく、機器が電話回線と接続している場合はオートシャットダウンを実行する事が出来なかった。
【先行技術文献】
【特許文献】
【０００６】
【特許文献１】特開２００４−０５６２５８号公報
【発明の概要】
【発明が解決しようとする課題】
【０００７】
しかしながら、ユーザにとっては、オートシャットダウン移行時間が設定できても機器が電話回線と接続していると、ユーザ操作がないままオートシャットダウン移行時間が経過してもオートシャットダウンが実行されないという事態は不便である。
【０００８】
本発明は、上記の問題点を解決するためになされたものである。すなわち、本発明は、電話回線と接続している場合のオートシャットダウン制御に関してユーザの利便性を向上させることができるネットワーク通信装置、その制御方法、プログラム及び記憶媒体を提供することを目的とする。
【課題を解決するための手段】
【０００９】
本発明の第１の実施形態に係るネットワーク通信装置は、電話回線と接続するためのネットワークポートと、前記電話回線を介して外部と通信する通信手段と、を備えるネットワーク通信装置であって、ユーザ操作なくオートシャットダウン移行時間が経過したときに前記ネットワーク通信装置への電力供給を停止するシャットダウン処理を実行するオートシャットダウン手段と、前記ネットワークポートに前記電話回線が接続されているか否かを検知する回線検知手段と、ユーザ操作に基づき、前記オートシャットダウン手段に前記シャットダウン処理を実行させるかどうかを選択する選択手段と、前記選択手段により前記オートシャットダウン手段に前記シャットダウン処理を実行させることが選択され、且つ、前記回線検知手段により前記ネットワークポートに前記電話回線が接続されていると検知された場合、前記オートシャットダウン移行時間の経過を待たずに、前記オートシャットダウン手段による前記シャットダウン処理に関する警告をユーザに通知する通知手段と、を備えることを特徴とする。
【００１０】
本発明の第２の実施形態に係るネットワーク通信装置は、電話回線と接続するためのネットワークポートと、前記電話回線を介して外部と通信する通信手段と、を備えるネットワーク通信装置であって、ユーザ操作なくオートシャットダウン移行時間が経過したときに前記ネットワーク通信装置への電力供給を停止するシャットダウン処理を実行するオートシャットダウン手段と、前記ネットワークポートに前記電話回線が接続されているか否かを検知する回線検知手段と、ユーザ操作に基づき、前記オートシャットダウン手段に前記シャットダウン処理を実行させるかどうかを選択する選択手段と、前記選択手段により前記オートシャットダウン手段に前記シャットダウン処理を実行させることが選択されている場合、前記回線検知手段が前記ネットワークポートに前記電話回線が接続されていない状態から接続されている状態に変化したことを検知したとき、前記オートシャットダウン移行時間の経過を待たずに、前記オートシャットダウン手段による前記シャットダウン処理に関する警告をユーザに通知する通知手段と、を備えることを特徴とする。
【００１１】
本発明の第３の実施形態に係るネットワーク通信装置は、電話回線と接続するためのネットワークポートと、前記電話回線を介して外部と通信する通信手段と、を備えるネットワーク通信装置であって、第１のユーザ操作なくオートシャットダウン移行時間が経過したときに前記ネットワーク通信装置への電力供給を停止するシャットダウン処理を実行するオートシャットダウン手段と、前記ネットワークポートに前記電話回線が接続されているか否かを検知する回線検知手段と、第２のユーザ操作に基づき、前記オートシャットダウン手段に前記シャットダウン処理を実行させるかどうかを選択する選択手段と、を備え、前記回線検知手段が前記ネットワークポートに前記電話回線が接続されていない状態から接続されている状態に変化したことを検知したとき、前記選択手段により前記オートシャットダウン手段に前記シャットダウン処理を実行させることが選択されている場合、前記オートシャットダウン手段を無効にし、且つ前記第２のユーザ操作を不可とすることを特徴とする。
【００１２】
本発明の第４の実施形態に係るネットワーク通信装置は、電話回線と接続するためのネットワークポートと、前記電話回線を介して外部と通信する通信手段と、を備えるネットワーク通信装置であって、ユーザ操作なくオートシャットダウン移行時間が経過したときに前記ネットワーク通信装置への電力供給を停止するシャットダウン処理を実行するオートシャットダウン手段と、前記ネットワークポートに前記電話回線が接続されているか否かを検知する回線検知手段と、ユーザ操作に基づき、前記オートシャットダウン手段に前記シャットダウン処理を実行させるかどうかを選択する選択手段と、前記回線検知手段が前記ネットワークポートに前記電話回線が接続されていない状態から接続されている状態に変化したことを検知したとき、前記オートシャットダウン手段による前記シャットダウン処理を実行するか否かをユーザに選択させる選択画面を表示する表示手段と、を備えることを特徴とする。
【発明の効果】
【００１３】
本発明によれば、機器が電話回線と接続している場合のオートシャットダウン制御に関してユーザの利便性を向上させることができる。
【図面の簡単な説明】
【００１４】
【図１】本発明の第１の実施形態にかかるＭＦＰのハードウェア構成を示す図である。
【図２】ＭＦＰにおける、オートシャットダウン設定の操作画面を示す図である。
【図３】本発明の第１の実施形態にかかるＭＦＰにおけるオートシャットダウン設定時の画面表示制御処理の手続きの流れを示すフローチャートである。
【図４】本発明の第１の実施形態においてＭＦＰに表示されるユーザへの警告画面を示す図である。
【図５】本発明の第１の実施形態にかかるＭＦＰにおけるオートシャットダウン実行処理の手続きの流れを示すフローチャートである。
【図６】本発明の第２の実施形態にかかるＭＦＰにおけるポート状態変化時の画面表示制御処理の手続きの流れを示すフローチャートである。
【図７】本発明の第３の実施形態にかかるＭＦＰにおけるポート状態変化時のオートシャットダウン設定変更制御処理の手続きの流れを示すフローチャートである。
【図８】図７のステップＳ７０４において設定変更されるタイマー設定画面を示す図である。
【図９】本発明の第４の実施形態にかかるＭＦＰにおけるポート状態変化時のオートシャットダウン実行選択制御処理の手続きの流れを示すフローチャートである。
【図１０】本発明の第４の実施形態におけるＭＦＰに表示されるオートシャットダウンを実行するかの選択画面を示す図である。
【図１１】本発明の第４の実施形態にかかるＭＦＰにおけるオートシャットダウン実行処理の手続きの流れを示すフローチャートである。
【発明を実施するための形態】
【００１５】
以下、図面を参照して本発明の実施の形態を詳しく説明する。ここでは、本発明に係るネットワーク通信装置として、プリントやスキャンといった画像処理装置としての機能、及びＦＡＸ機能を有する複合機（ＭＦＰ：Ｍｕｌｔｉ  Ｆｕｎｃｔｉｏｎ  Ｐｅｒｉｐｈｅｒａｌ）を例に説明する。
【００１６】
なお、以下の実施の形態は特許請求の範囲に係る発明を限定するものでなく、また実施の形態で説明されている特徴の組み合わせの全てが発明の解決手段に必須のものとは限らない。
【００１７】
＜第１の実施形態＞
本発明の第１の実施形態について説明する。
【００１８】
図１は、本発明の第１の実施形態にかかるＭＦＰ１００のハードウェア構成を示す図である。
【００１９】
図１において、ＭＦＰ１００は、ＣＰＵ１０１と、ＲＯＭ１０３と、ＲＡＭ１０２とを備えている。また、用紙に画像をプリントする印刷部１０５と、原稿の画像を読み取る読取部１０６と、動作状況の表示やユーザによる入力操作の受付を行う操作パネル１０４と、ＭＯＤＥＭ１０７と、無線ＬＡＮインターフェース１０８と、有線ＬＡＮインターフェース１０９に、電気的に接続されている。
【００２０】
ＲＯＭ１０３には、ＭＦＰ１００を制御するための制御プログラムであるファームウェアや各種設定、初期値等が記憶されている。ＲＡＭ１０２は、各種制御プログラムが読み出される作業領域として、あるいはデータを一時的に記憶する記憶領域として利用される。
【００２１】
ＣＰＵ１０１は、ＲＯＭ１０３から読み出した制御プログラムや各種センサから送られる信号に従って、その処理結果をＲＡＭ１０２に記憶させながら、ＭＦＰ１００の各構成要素を制御する。
【００２２】
ＭＯＤＥＭ１０７は電話回線と接続するためのネットワークポートであって、電話回線を介して外部から受信した、変調された信号を復調したり、逆に装置からの信号を変調し電話回線を介して外部に送出したりすることにより、外部と通信するものである。ＭＦＰ１００は、読取部１０６で原稿を読み込み生成された画像データをＭＯＤＥＭ１０７から電話回線を介して外部へＦＡＸ送信したり、電話回線を介してＦＡＸ受信した画像データをプリンタ３５０で印刷出力したりすることができる。つまり、ＭＯＤＥＭ１０７は、電話回線を用いて画像データを送受信することができる。また、本実施形態ではＳＤＡＡ（シリコンＤＡＡ）を用いてＭＯＤＥＭ１０７により回線電圧を検知し、ＭＯＤＥＭ１０７のポート状態（接続状態）、すなわち、電話回線がＭＯＤＥＭ１０７に接続されているか否かを判断する（回線検知手段）。
【００２３】
無線ＬＡＮインターフェース１０８は、ＩＥＥＥの８０２．１１の規格およびそれに準ずる規格に基づいて、無線通信を可能にするインターフェースである。
【００２４】
有線ＬＡＮインターフェース１０９は、ＩＥＥＥの８０２．３の規格およびそれに準ずる規格に基づいて、有線通信を可能にするインターフェースである。
【００２５】
ＭＦＰ１００は、無線ＬＡＮインターフェース１８、または有線ＬＡＮインターフェース１０９を介して外部装置から送信されるデータを受信する。さらに、ＭＦＰ１００は、無線ＬＡＮインターフェース１０８、または、有線ＬＡＮインターフェース１０９を介して外部装置にデータを送信する。
【００２６】
操作パネル１０４は、図示しない、ユーザ入力を受け付ける各種のボタンから構成される入力部と、メッセージや設定内容を表示する画面とを有している。各種のボタンとしては、例えば、画像処理の開始を指示するＯＫボタンや、画像処理のキャンセルを指示するキャンセルボタンがある。
【００２７】
図２は、ＭＦＰ１００における、オートシャットダウン設定の操作画面を示す図である。
【００２８】
図２において、設定時間表示部２０１に設定値が表示され、矢印２０２、２０３により設定時間表示部２０１に表示される設定値の変更を行える（時間設定手段）。また確定ボタン２０４の押下により設定値を設定時間表示部２０１に表示された設定値に決定する。設定値が０に決定された場合、オートシャットダウンは無効となる。また、設定値が１から４の値のいずれかの値に決定された場合、決定された設定値がオートシャットダウン移行時間として決定される。例えば、設定値「４」が設定時間表示部２０１で表示された状態で確定ボタン２０４が押下されると、オートシャットダウン移行時間は４時間に決定される。
【００２９】
その後、ユーザの操作がＭＦＰ１００に対してないまま、その決定されたオートシャットダウン移行時間が経過した場合にＭＦＰ１００のオートシャットダウンが実行される。より具体的には、ＭＦＰ１００が有する、ＭＦＰに対してユーザの操作がない時間を計時するオートシャットダウンタイマー（図１において不図示）がオートシャットダウン移行時間となった場合、ＭＦＰ１００のオートシャットダウンが実行される。言い換えると、ＭＦＰ１００では、ユーザ操作なくオートシャットダウン移行時間が経過したときにＭＦＰ１００への電力供給を停止するシャットダウン処理が実行される。
【００３０】
尚、図２においては、ユーザがオートシャットダウン移行時間を設定する構成としたが、かかる構成に限定されるわけではない。例えば、ＭＦＰ１００において内部的にオートシャットダウン移行時間（例えば、４時間）が設定されている場合、図２の操作画面の代わりに、オートシャットダウンの有効・無効をユーザ選択可能とする不図示の他の操作画面を表示するようにしてもよい。この場合、表示された他の操作画面上でユーザがオートシャットダウンを有効とする選択をしたとき、オートシャットダウンが有効となり、オートシャットダウン移行時間として４時間が設定される。
【００３１】
図３は、本発明の第１の実施形態にかかるＭＦＰ１００におけるオートシャットダウン設定時の画面表示制御処理の手続きの流れを示すフローチャートである。本フローチャートは、ＣＰＵ１１がＲＯＭ１３に記憶された制御プログラムを実行することにより実現される。また、図４は、第１の実施形態においてＭＦＰ１００に表示されるユーザへの警告画面を示す図である。
【００３２】
ステップＳ３０１にて、ＣＰＵ１０１はユーザが図２の操作画面においてオートシャットダウン移行時間を決定したかを確認する。決定をしたと判定された場合、ステップＳ３０２に遷移する。尚、ＭＦＰ１００において内部的にオートシャットダウン移行時間（例えば、４時間）が設定されている場合は、ステップＳ３０１で、図２の操作画面の代わりに上述の不図示の他の操作画面を表示し、表示された他の操作画面上でユーザによりオートシャットダウンを有効とする旨の選択が行われたか否かを判定するようにしてもよい。
【００３３】
ステップＳ３０２にて、ＣＰＵ１０１はＭＯＤＥＭ１０７のポート状態を確認する。
【００３４】
ステップＳ３０３にて、ＣＰＵ１０１はステップＳ３０２の確認結果より電話回線がＭＯＤＥＭ１０７に接続されているか否かの判定を行う。接続されていると判定された場合、ステップＳ３０４に遷移し、接続されていないと判定された場合はそのまま本処理を終了する。
【００３５】
ステップＳ３０４にて、ＣＰＵ１０１は図４に示す警告画面４００を操作パネル１０４に表示し処理を終了する。
【００３６】
尚、図４ではオートシャットダウンを実行できない理由が、電話回線が接続されている為である旨も併せて通知しているが、かかる理由は通知することなく、オートシャットダウンを実行できない旨のみの警告画面をステップＳ３０４において表示するようにしてもよい。
【００３７】
また、本処理では、警告画面４００により、オートシャットダウンを実行できない旨をユーザに通知していたが、画面表示による通知でなくてもよく、例えば音声による通知としてもよい。
【００３８】
図５は、本発明の第１の実施形態にかかるＭＦＰ１００におけるオートシャットダウン実行処理の手続きの流れを示すフローチャートである。本フローチャートも、図３の処理と同様、ＣＰＵ１１がＲＯＭ１３に記憶された制御プログラムを実行することにより実現される。
【００３９】
ステップＳ５０１にて、ＣＰＵ１０１はユーザによるＭＦＰ１００に対する操作がないか判定する。操作がないと判定された場合ステップＳ５０２に遷移し、操作があったと判定された場合ステップＳ５０３に遷移し、オートシャットダウンタイマーのリセットを行いステップＳ５０１に遷移する。
【００４０】
ステップＳ５０２にて、ＣＰＵ１０１はオートシャットダウン移行時間が経過したか否かの判定を行う。オートシャットダウン移行時間が経過したと判定された場合、ステップＳ５０４に遷移し、経過していないと判定された場合ステップＳ５０１に遷移する。
【００４１】
ステップＳ５０４にて、ＣＰＵ１０１はステップＳ３０３で判定された結果を確認する。電話回線がＭＯＤＥＭ１０７に接続されていると判定された場合、ステップＳ５０５に遷移し、接続されていないと判定された場合、ステップＳ５０６に遷移する。
【００４２】
ステップＳ５０５にてＣＰＵ１０１はオートシャットダウンタイマーのリセットを行い、ステップＳ５０１に遷移する。
【００４３】
ステップＳ５０６にてＣＰＵ１０１はオートシャットダウンを実行し本処理を終了する。
【００４４】
本実施の形態によれば、ユーザが図２の操作画面上でオートシャットダウン移行時間を決定しても、電話回線がＭＯＤＥＭ１０７に接続されていた場合は、ユーザ操作なくオートシャットダウン移行時間が経過してもオートシャットダウンが実行されない事態となる。しかし、かかる事態が生じても、ユーザに現在ＭＦＰ１００がオートシャットダウンは実行できない状況であることを把握させるべく、本実施の形態では図４の警告画面を操作パネル１０４に表示するので、ユーザの利便性を向上することができる。
【００４５】
＜第２の実施形態＞
第１の実施形態では、ＭＦＰ１００でオートシャットダウン設定が行われた際の画面表示制御を説明した。本実施形態では、ＭＯＤＥＭ１０７のポート状態が変化した際の制御、より具体的には、電話回線がＭＯＤＥＭ１０７に接続されていない状態から接続された状態に変化した際の画面表示制御を説明する。
【００４６】
図６は、本発明の第２の実施形態にかかるＭＦＰ１００におけるＭＯＤＥＭ１０７のポート状態変化時の画面表示制御処理の手続きの流れを示すフローチャートである。本フローチャートも、ＣＰＵ１１がＲＯＭ１３に記憶された制御プログラムを実行することにより実現される。
【００４７】
ステップＳ６０１にて、ＣＰＵ１０１はＭＯＤＥＭ１０７のポート状態が、電話回線がＭＯＤＥＭ１０７に接続されていない状態から接続された状態に変化したか判定する。変化したと判定された場合、ステップＳ６０２に遷移する。
【００４８】
ステップＳ６０２にて、ＣＰＵ１０１はオートシャットダウンが無効となっているか有効となっているかを判定する。具体的には、図２の操作画面での操作により設定値が０に決定されていた場合は、オートシャットダウンが無効となっていると判定し、０以外の値に決定されていた場合は、オートシャットダウンが有効になっていると判定する。有効になっていると判定された場合は、ステップＳ６０３に遷移し、無効になっていると判定された場合は、ステップＳ６０１に遷移する。尚、ＭＦＰ１００において内部的にオートシャットダウン移行時間（例えば、４時間）が設定されている場合は、ステップＳ６０２で、図２の操作画面の代わりに上述の不図示の他の操作画面を表示し、表示された他の操作画面上でユーザによりオートシャットダウンを有効とする旨の選択が行われたか、オートシャットダウンを無効とする旨の選択が行われたかを判定するようにしてもよい。
【００４９】
ステップＳ６０３にて、ＣＰＵ１０１は図４に示す警告画面を操作パネル１０４に表示し、本処理を終了する。
【００５０】
本実施の形態によれば、電話回線がＭＯＤＥＭ１０７に接続されていない状態のときに、ユーザが図２の操作画面上でオートシャットダウン移行時間を決定したとしても、その後、電話回線がＭＯＤＥＭ１０７に接続された場合は、ユーザ操作なくオートシャットダウン移行時間が経過してもオートシャットダウンが実行されない事態となる。しかし、かかる事態が生じても、ユーザに現在ＭＦＰ１００がオートシャットダウンは実行できない状況であることを把握させるべく、本実施の形態では図４の警告画面を操作パネル１０４に表示するので、ユーザの利便性を向上することができる。
【００５１】
＜第３の実施形態＞
第２の実施形態では、ＭＯＤＥＭ１０７のポート状態が変化した際、オートシャットダウン設定自体は変更することなく、ＭＦＰ１００で操作パネル１０４に警告を表示する制御を説明した。これに対し、本実施形態では、ＭＯＤＥＭ１０７のポート状態が変化した際、オートシャットダウン設定自体も変更する制御を説明する。
【００５２】
図７は、本発明の第３の実施形態にかかるＭＦＰ１００におけるにおけるポート状態変化時のオートシャットダウン設定変更制御処理の手続きの流れを示すフローチャートである。本フローチャートも、ＣＰＵ１１がＲＯＭ１３に記憶された制御プログラムを実行することにより実現される。
【００５３】
ステップＳ７０１にてＣＰＵ１０１はＭＯＤＥＭ１０７のポート状態が、電話回線がＭＯＤＥＭ１０７に接続されていない状態から接続された状態に変化したか判定する。変化したと判定された場合、ステップＳ７０２に遷移する。
【００５４】
ステップＳ７０２にて、ＣＰＵ１０１はオートシャットダウンが無効となっているか有効になっているか判定する。この判定処理は図６のステップＳ６０２と同様の処理により行われる。有効になっていると判定された場合ステップＳ７０３に遷移し、無効であると判定された場合ステップＳ７０４に遷移する。
【００５５】
ステップＳ７０３にて、ＣＰＵ１０１はオートシャットダウンを無効に変更し、ステップＳ７０４に遷移する。
【００５６】
ステップＳ７０４にて、操作パネル１０４上のタイマー設定画面（図８）の設定変更を行い、オートシャットダウン設定のメニューをグレーアウト（設定不可に）し、ユーザが操作パネル１０４で図２の操作画面を表示してオートシャットダウンの設定をできないようにして処理を終了する。
【００５７】
尚、ステップＳ７０４においてオートシャットダウン設定のメニューを設定不可した後、図４に示す警告画面を操作パネル１０４に表示してもよい。
【００５８】
本実施の形態によれば、電話回線がＭＯＤＥＭ１０７に接続されていない状態のときに、ユーザが図２の操作画面上でオートシャットダウン移行時間を決定したとしても、その後、電話回線がＭＯＤＥＭ１０７に接続された場合は、ユーザ操作なくオートシャットダウン移行時間が経過してもオートシャットダウンが実行されない事態となる。しかし、かかる事態が生じても、ユーザに現在ＭＦＰ１００がオートシャットダウンは実行できない状況であることを把握させるべく、本実施の形態では図８のタイマー設定画面においてオートシャットダウン設定のメニューの設定ができないようグレーアウトさせるので、ユーザの利便性を向上することができる。
【００５９】
＜第４の実施形態＞
第３の実施形態では、ＭＦＰ１００のＭＯＤＥＭ１０７のポート状態が、電話回線がＭＯＤＥＭ１０７に接続されていない状態から接続された状態に変化した場合、オートシャットダウンを無効とするオートシャットダウン設定変更制御を説明した。本実施形態では、かかる場合にオートシャットダウン実行をユーザに選択させる制御を説明する。
【００６０】
図９は、本発明の第４の実施形態にかかるＭＦＰ１００におけるポート状態変化時のオートシャットダウン実行選択制御処理の手続きの流れを示すフローチャートである。本フローチャートも、ＣＰＵ１１がＲＯＭ１３に記憶された制御プログラムを実行することにより実現される。
【００６１】
ステップＳ９０１にてＣＰＵ１０１はＭＯＤＥＭ１０７のポート状態が、電話回線がＭＯＤＥＭ１０７に接続されていない状態から接続された状態に変化したか判定する。変化したと判定された場合、ステップＳ９０２に遷移する。
【００６２】
ステップＳ９０２にて、ＣＰＵ１０１は図１０に示すオートシャットダウンを実行するかの選択画面を操作パネル１０４に表示する。
【００６３】
ステップＳ９０３にて、ＣＰＵ１０１はユーザが図１０の「はい」ボタン９０１を選択した場合、ステップＳ９０６に遷移し、ユーザが図１０の「いいえ」ボタン９０２を選択した場合、ステップＳ９０４に遷移する。
【００６４】
ステップＳ９０４にて、ＣＰＵ１０１はオートシャットダウンが無効となっているか有効になっているか判定する。この判定処理は図６のステップＳ６０２と同様の処理により行われる。有効になっていると判定された場合ステップＳ９０５に遷移し、無効であると判定された場合、本処理を終了する。
【００６５】
ステップＳ９０５にて、ＣＰＵ１０１はオートシャットダウンを無効に設定し、処理を終了する。
【００６６】
一方、ステップＳ９０６においてもＳ９０４と同様、ＣＰＵ１０１はオートシャットダウンが無効となっているか有効になっているか判定する。この判定処理も図６のステップＳ６０２と同様の処理により行われる。有効になっていると判定された場合ステップＳ９０８に遷移し、無効であると判定された場合、ステップＳ９０７に遷移する。
【００６７】
ステップＳ９０７にて、ＣＰＵ１０１は、図２の操作画面を表示し、ユーザ操作に基づきオートシャットダウン移行時間を決定し、本処理を終了する。
【００６８】
図１１は、本発明の第４の実施形態にかかるＭＦＰ１００におけるオートシャットダウン実行処理の手続きの流れを示すフローチャートである。なお、図５のステップＳ５０１〜Ｓ５０４の処理と、図１１のステップＳ１１０１乃至ステップＳ１１０４の処理は同一であるので、これらの処理についての説明は省略する。本フローチャートも、ＣＰＵ１１がＲＯＭ１３に記憶された制御プログラムを実行することにより実現される。
【００６９】
ステップＳ１１０５にて、ＣＰＵ１０１は図９のステップＳ９０３でのユーザ選択結果を確認する。ユーザが図１０の「はい」ボタン９０１を選択していた場合、ステップＳ１１０７に遷移し、ユーザが図１０の「いいえ」ボタン９０２を選択した場合、ステップＳ１１０６に遷移する。
【００７０】
ステップＳ１１０６にて、ＣＰＵ１０１はオートシャットダウンタイマーのリセットを行いステップＳ１１０１に遷移する。
【００７１】
ステップＳ１１０７にて、ＣＰＵ１０１はオートシャットダウンを実行し本処理を終了する。
【００７２】
本実施の形態によれば、電話回線がＭＯＤＥＭ１０７に接続されていない状態から、電話回線がＭＯＤＥＭ１０７に接続されている状態に変化した場合は、図１０に示すオートシャットダウンを実行するかの選択画面を操作パネル１０４に表示する。これにより、ユーザ操作なくオートシャットダウン移行時間が経過したときに、依然として電話回線がＭＯＤＥＭ１０７に接続されている場合であっても、この選択画面でのユーザ選択に応じてオートシャットダウンを実行するか否かを決定するので、ユーザの利便性を向上することができる。
【００７３】
＜その他の実施形態＞
以上、本発明について実施の形態に基づいて説明したが、本発明は、これらの実施の形態に限定されるものではなく、この発明の要旨を逸脱しない範囲の様々な形態も本発明に含まれる。例えば、本実施例のオートシャットダウン機能は、ユーザが図２の操作画面において設定したオートシャットダウン移行時間の間、ユーザの操作がＭＦＰ１００に対してなかった場合に電源を落とす機能だったが、ユーザが設定した時刻になった場合に電源を落とす機能であってもよい。
【００７４】
本実施例ではＳＤＡＡを用いたＭＯＤＥＭにより回線電圧を検知し、電話回線の接続有無を判断したが、電話回線の接続を判断可能ならば他の方法を用いても良い。
【００７５】
また、本実施例ではオートシャットダウンタイマーが満了した際に、オートシャットダウンを実行するか判断したが、オートシャットダウンを実行するか判断した際にオートシャットダウンタイマーを止めてオートシャットダウンを実行しないような方法を用いても良い。例えば、電話回線が接続された際にオートシャットダウンタイマーのカウントをストップし、電話回線が抜かれた際にカウントをスタートさせるというような方法を用いても良い。
【００７６】
本発明は、上述の実施形態の１以上の機能を実現するプログラムをネットワーク又は記憶媒体を介してシステム又は装置に供給し、そのシステム又は装置のコンピュータにおける１つ以上のプロセッサがプログラムを読み出し、実行する処理でも実現可能である。また、１以上の機能を実現する回路（例えば、ＡＳＩＣ）によっても実現可能である。
【符号の説明】
【００７７】
１００  ＭＦＰ
１０１  ＣＰＵ
１０２  ＲＡＭ
１０３  ＲＯＭ
１０４  操作パネル
１０５  印刷部
１０６  読取部
１０７  ＭＯＤＥＭ
１０８  無線ＬＡＮインターフェース
１０９  有線ＬＡＮインターフェース
【図１】
0006682206.tif 000002
【図２】
0006682206.tif 000003
【図３】
0006682206.tif 000004
【図４】
0006682206.tif 000005
【図５】
0006682206.tif 000006
【図６】
0006682206.tif 000007
【図７】
0006682206.tif 000008
【図８】
0006682206.tif 000009
【図９】
0006682206.tif 000010
【図１０】
0006682206.tif 000011
【図１１】
0006682206.tif 000012